【手続補正書】
【提出日】平成30年5月28日(2018.5.28)
【手続補正１】
【補正対象書類名】特許請求の範囲
【補正対象項目名】全文
【補正方法】変更
【補正の内容】
【特許請求の範囲】
【請求項１】
位置決め方法であって、ワイヤレスネットワークにおける局（ＳＴＡ）において、
前記ワイヤレスネットワークにおける基準デバイスから、１つまたは複数のワイヤレスチャネルの各々に関する測定時間を提供するスケジュールを受信すること、
前記スケジュールに従って、前記１つまたは複数のワイヤレスチャネルの第１のチャネルに同調すること、
前記スケジュールに従って前記第１のチャネルに同調されている間、第１のアクセスポイント（ＡＰ）から第１のメッセージを受信すること、前記第１のメッセージは出発の時間のタイムスタンプを備える、
到着の時間のタイムスタンプで前記第１のメッセージをタイムスタンプすること、
前記基準デバイスが前記第１のＡＰから前記第１のメッセージを受信した時間のインジケーションを受信すること、および
前記出発の時間のタイムスタンプ、前記到着の時間のタイムスタンプ、および前記基準デバイスが前記第１のメッセージを受信した前記時間に部分的に基づいて、前記ＳＴＡの位置を決定すること
を備える方法。
【請求項２】
前記１つまたは複数のワイヤレスチャネルは、複数のチャネルを備え、
前記方法は、前記ＳＴＡにおいて、
前記スケジュールに従って、それぞれの時間において前記複数のチャネルのそれぞれのチャネルに同調すること、
前記スケジュールに従って前記それぞれのチャネルに同調されている間、複数のＡＰから出発の時間のタイムスタンプを備えるメッセージを受信すること、前記メッセージは前記第１のメッセージを含む、
到着の時間のタイムスタンプで前記メッセージをタイムスタンプすること、
前記基準デバイスが前記複数のＡＰから前記メッセージを受信した複数の時間のインジケーションを受信すること、および
前記複数のＡＰおよび前記基準デバイスの複数のロケーションを確かめること
をさらに備え、
ここにおいて、前記ＳＴＡの前記位置は、前記出発の時間のタイムスタンプ、前記到着の時間のタイムスタンプ、前記基準デバイスが前記複数のＡＰから前記メッセージを受信した前記複数の時間、および前記複数のＡＰおよび前記基準デバイスの前記複数のロケーションに、少なくとも部分的に基づいて決定される、請求項１に記載の方法。
【請求項３】
前記それぞれのチャネルは、前記スケジュールにおいて前記複数のチャネルのサブセットを構成し、前記方法は、
前記それぞれのチャネル上で受信されたメッセージと関連付けられたタイムスタンプを使用して決定されるような、前記ＳＴＡの前記決定された位置の正確さが、基準を満たすことを決定すること、および
前記サブセットにないチャネルに対応する前記スケジュールの一部分を無視すること
をさらに備える、請求項２に記載の方法。
【請求項４】
前記ＳＴＡにおいて、
前記スケジュールに従って前記第１のチャネルに同調されている間、複数のＡＰから出発の時間のタイムスタンプを備えるメッセージを受信すること、前記メッセージは前記第１のメッセージを含む、
到着の時間のタイムスタンプで前記メッセージをタイムスタンプすること、
前記基準デバイスが前記複数のＡＰから前記メッセージを受信した複数の時間のインジケーションを受信すること、および
前記複数のＡＰおよび前記基準デバイスの複数のロケーションを確かめること
をさらに備え、
ここにおいて、前記ＳＴＡの前記位置は、前記出発の時間のタイムスタンプ、前記到着の時間のタイムスタンプ、前記基準デバイスが前記複数のＡＰから前記メッセージを受信した前記複数の時間、および前記複数のＡＰおよび前記基準デバイスの前記複数のロケーションに、少なくとも部分的に基づいて決定される、請求項１に記載の方法。
【請求項５】
前記スケジュールおよび前記インジケーションを受信することは、前記ＳＴＡと前記基準デバイスとの間に接続がない場合に、前記基準デバイスからの前記スケジュールおよび前記インジケーションを受信することを備える、請求項１に記載の方法。
【請求項６】
位置決めを容易にするための方法であって、
ワイヤレスネットワークにおけるワイヤレスデバイスにおいて、
１つまたは複数のワイヤレスチャネルの各々に関する測定時間を特定するスケジュールをコンパイルすること、
前記ワイヤレスネットワークにおける局（ＳＴＡ）に前記スケジュールを提供すること、前記ＳＴＡは、前記ワイヤレスデバイスと異なる、
前記スケジュールに従って、前記１つまたは複数のワイヤレスチャネルのそれぞれのチャネルに同調すること、
前記スケジュールに従って前記それぞれのチャネルに同調されている間、第１のアクセスポイント（ＡＰ）から第１のメッセージを受信すること、前記第１のメッセージは出発の時間のタイムスタンプを備える、
到着の時間のタイムスタンプで前記第１のメッセージをタイムスタンプすること、および
前記ＳＴＡに前記到着の時間のタイムスタンプを提供すること
を備える、方法。
【請求項７】
前記ワイヤレスデバイスにおいて、
前記第１のＡＰによって前記第１のメッセージの送信をトリガするために、前記スケジュールに従って、前記それぞれのチャネル上でトリガメッセージを送信すること
をさらに備える、請求項６に記載の方法。
【請求項８】
前記トリガメッセージを送信することは、プローブ要求を送信することを備え、および
前記第１のＡＰから前記第１のメッセージを受信することは、前記第１のＡＰからプローブ応答を受信することを備える、請求項７に記載の方法。
【請求項９】
前記１つまたは複数のワイヤレスチャネルは、複数のチャネルを備え、前記方法は、前記ワイヤレスデバイスにおいて、
前記スケジュールに従って、それぞれの時間において前記複数のチャネルのそれぞれのチャネルに同調すること、
前記スケジュールに従って前記それぞれのチャネルに同調されている間、複数のＡＰから出発の時間のタイムスタンプを備えるメッセージを受信すること、前記メッセージは前記第１のメッセージを含む、
到着の時間のタイムスタンプで前記メッセージをタイムスタンプすること、および
前記ＳＴＡに前記到着の時間のタイムスタンプを提供すること
をさらに備える、請求項６に記載の方法。
【請求項１０】
前記ワイヤレスデバイスにおいて、
前記複数のＡＰからの前記出発の時間のタイムスタンプを備える前記メッセージの送信をトリガするために、前記スケジュールに従って、前記それぞれのチャネル上でトリガメッセージを送信することをさらに備える、請求項９に記載の方法。
【請求項１１】
前記ワイヤレスネットワークにおいて複数のＡＰを識別すること、および
前記複数のＡＰのサブセットを選択すること、
をさらに備え、
ここにおいて、前記スケジュールの前記１つまたは複数のワイヤレスチャネルは、前記複数のＡＰの前記選択されたサブセットに対応する、請求項６に記載の方法。
【請求項１２】
ワイヤレスデバイスであって、
１つまたは複数のアンテナ、
前記１つまたは複数のアンテナを通じてワイヤレスネットワーク上で送信を受信および送信するためのワイヤレスモデム、
１つまたは複数のプロセッサ、および
前記１つまたは複数のプロセッサによる実行のために構成された１つまたは複数のプログラムを記憶するメモリ、前記１つまたは複数のプログラムは、
前記ワイヤレスネットワークにおける基準デバイスから受信されたスケジュールに従って、前記スケジュールにおいて特定された１つまたは複数のワイヤレスチャネルの第１のチャネルに同調するための命令、ここにおいて、前記スケジュールは、前記１つまたは複数のワイヤレスチャネルの各々に関する測定時間を提供する、
前記スケジュールに従って前記第１のチャネルに同調されている間、第１のアクセスポイント（ＡＰ）から第１のメッセージを受信するための命令、前記第１のメッセージは出発の時間のタイムスタンプを備える、
到着の時間のタイムスタンプで前記第１のメッセージをタイムスタンプするための命令、および
前記出発の時間のタイムスタンプ、前記到着の時間のタイムスタンプ、および前記基準デバイスが前記第１のメッセージを受信した時間に部分的に基づいて、前記ワイヤレスデバイスの位置を決定するための命令、前記基準デバイスが前記第１のメッセージを受信した前記時間は、前記ワイヤレスデバイスに提供されている、を備える、
を備える、ワイヤレスデバイス。
【請求項１３】
ワイヤレスデバイスであって、
１つまたは複数のアンテナ、
前記１つまたは複数のアンテナを通じてワイヤレスネットワーク上で送信を受信および送信するためのワイヤレスモデム、
１つまたは複数のプロセッサ、および
前記１つまたは複数のプロセッサによる実行のために構成された１つまたは複数のプログラムを記憶するメモリ、前記１つまたは複数のプログラムは、
１つまたは複数のワイヤレスチャネルの各々に関する測定時間を特定するスケジュールをコンパイルするための命令、
前記ワイヤレスネットワークにおける局（ＳＴＡ）に前記スケジュールを提供するための命令、前記ＳＴＡは、前記ワイヤレスデバイスと異なる、
前記スケジュールに従って、前記１つまたは複数のワイヤレスチャネルのそれぞれのチャネルに同調するための命令、
到着の時間のタイムスタンプで第１のメッセージをタイムスタンプするための命令、前記スケジュールに従って前記それぞれのチャネルに同調されている間、前記第１のメッセージは、第１のアクセスポイント（ＡＰ）から受信され、および出発の時間のタイムスタンプを備える、および
前記ＳＴＡに前記到着の時間のタイムスタンプを提供するための命令を備える、
を備える、ワイヤレスデバイス。
【請求項１４】
前記１つまたは複数のプログラムは、前記第１のＡＰによって前記第１のメッセージの送信をトリガするために、前記スケジュールに従って、前記それぞれのチャネル上でトリガメッセージを送信するための命令をさらに備える、請求項１３に記載のワイヤレスデバイス。
【請求項１５】
プロセッサによって実行されたとき、請求項１乃至１１のうちの１つに記載の方法を行うための命令を備える、コンピュータプログラム。
【手続補正２】
【補正対象書類名】明細書
【補正対象項目名】００６９
【補正方法】変更
【補正の内容】
【００６９】
[0074]  前述の明細書では、本実施形態は、それの特定の例示的な実施形態に関連して説明された。しかしながら、添付の特許請求の範囲に記載される本開示のより広い趣旨および範囲から逸脱することなく、それらに対する様々な修正および変更がなされうることは明らかであろう。したがって、本明細書および図面は、限定的な意味ではなく、例示的な意味において考慮されるべきである。
以下に本願の出願当初の特許請求の範囲に記載された発明を付記する。
［Ｃ１］
位置決め方法であって、ワイヤレスネットワークにおける局（ＳＴＡ）において、
前記ワイヤレスネットワークにおける基準デバイスから、１つまたは複数のワイヤレスチャネルの各々に関する測定時間を提供するスケジュールを受信すること、
前記スケジュールに従って、前記１つまたは複数のワイヤレスチャネルの第１のチャネルに同調すること、
前記スケジュールに従って前記第１のチャネルに同調されている間、第１のアクセスポイント（ＡＰ）から第１のメッセージを受信すること、前記第１のメッセージは出発の時間のタイムスタンプを備える、
到着の時間のタイムスタンプで前記第１のメッセージをタイムスタンプすること、
前記基準デバイスが前記第１のＡＰから前記第１のメッセージを受信した時間のインジケーションを受信すること、および
前記出発の時間のタイムスタンプ、前記到着の時間のタイムスタンプ、および前記基準デバイスが前記第１のメッセージを受信した前記時間に部分的に基づいて、前記ＳＴＡの位置を決定すること
を備える方法。
［Ｃ２］
前記第１のＡＰおよび前記基準デバイスのロケーションを確かめること、および
前記ＳＴＡの前記位置を決定することにおいて前記第１のＡＰおよび前記基準デバイスの前記ロケーションを使用すること
をさらに備える、Ｃ１に記載の方法。
［Ｃ３］
前記スケジュールを受信することは、前記スケジュールを含むビーコンフレームを受信することを備える、Ｃ１に記載の方法。
［Ｃ４］
前記スケジュールは、前記基準デバイスからの出発の時間でタイムスタンプされ、および
前記方法は、前記ＳＴＡにおけるタイミングを前記基準デバイスにおけるタイミングと同期させるために、前記基準デバイスからの前記スケジュールの前記出発の時間を使用することをさらに備える、Ｃ１に記載の方法。
［Ｃ５］
前記スケジュールは、前記第１のＡＰと関連付けられた１つまたは複数のパラメータを特定し、および
前記第１のＡＰから前記第１のメッセージを受信することは、フレームをフィルタするために、前記第１のＡＰと関連付けられた前記１つまたは複数のパラメータを使用することを備える、Ｃ１に記載の方法。
［Ｃ６］
前記第１のＡＰと関連付けられた前記１つまたは複数のパラメータは、前記第１のＡＰに関する基本サービスセット識別子（ＢＳＳＩＤ）および前記第１のＡＰに関するサービスセット識別子（ＳＳＩＤ）を備える、Ｃ５に記載の方法。
［Ｃ７］
前記スケジュールは、
前記第１のメッセージに関するメッセージタイプ、
前記基準デバイスに関するアドレス、
前記１つまたは複数のワイヤレスチャネルの各々に関するプライマリチャネルおよびチャネル帯域幅、および
その中で前記スケジュールを使用するためのビーコン周期のインジケータ
をさらに特定する、Ｃ５に記載の方法。
［Ｃ８］
前記第１のＡＰから前記第１のメッセージを受信することは、前記第１のＡＰからプローブ応答を受信することを備える、Ｃ１に記載の方法。
［Ｃ９］
前記１つまたは複数のワイヤレスチャネルは、複数のチャネルを備え、
前記方法は、前記ＳＴＡにおいて、
前記スケジュールに従って、それぞれの時間において前記複数のチャネルのそれぞれのチャネルに同調すること、
前記スケジュールに従って前記それぞれのチャネルに同調されている間、複数のＡＰから出発の時間のタイムスタンプを備えるメッセージを受信すること、前記メッセージは前記第１のメッセージを含む、
到着の時間のタイムスタンプで前記メッセージをタイムスタンプすること、
前記基準デバイスが前記複数のＡＰから前記メッセージを受信した複数の時間のインジケーションを受信すること、および
前記複数のＡＰおよび前記基準デバイスの複数のロケーションを確かめること
をさらに備え、
ここにおいて、前記ＳＴＡの前記位置は、前記出発の時間のタイムスタンプ、前記到着の時間のタイムスタンプ、前記基準デバイスが前記複数のＡＰから前記メッセージを受信した前記複数の時間、および前記複数のＡＰおよび前記基準デバイスの前記複数のロケーションに、少なくとも部分的に基づいて決定される、Ｃ１に記載の方法。
［Ｃ１０］
前記それぞれのチャネルは、前記スケジュールにおいて前記複数のチャネルのサブセットを構成し、前記方法は、
前記それぞれのチャネル上で受信されたメッセージと関連付けられたタイムスタンプを使用して決定されるような、前記ＳＴＡの前記決定された位置の正確さが、基準を満たすことを決定すること、および
前記サブセットにないチャネルに対応する前記スケジュールの一部分を無視すること
をさらに備える、Ｃ９に記載の方法。
［Ｃ１１］
前記ＳＴＡにおいて、
前記スケジュールに従って前記第１のチャネルに同調されている間、複数のＡＰから出発の時間のタイムスタンプを備えるメッセージを受信すること、前記メッセージは前記第１のメッセージを含む、
到着の時間のタイムスタンプで前記メッセージをタイムスタンプすること、
前記基準デバイスが前記複数のＡＰから前記メッセージを受信した複数の時間のインジケーションを受信すること、および
前記複数のＡＰおよび前記基準デバイスの複数のロケーションを確かめること
をさらに備え、
ここにおいて、前記ＳＴＡの前記位置は、前記出発の時間のタイムスタンプ、前記到着の時間のタイムスタンプ、前記基準デバイスが前記複数のＡＰから前記メッセージを受信した前記複数の時間、および前記複数のＡＰおよび前記基準デバイスの前記複数のロケーションに、少なくとも部分的に基づいて決定される、Ｃ１に記載の方法。
［Ｃ１２］
前記スケジュールおよび前記インジケーションを受信することは、前記ＳＴＡと前記基準デバイスとの間に接続がない場合に、前記基準デバイスからの前記スケジュールおよび前記インジケーションを受信することを備える、Ｃ１に記載の方法。
［Ｃ１３］
位置決めを容易にするための方法であって、
ワイヤレスネットワークにおけるワイヤレスデバイスにおいて、
１つまたは複数のワイヤレスチャネルの各々に関する測定時間を特定するスケジュールをコンパイルすること、
前記ワイヤレスネットワークにおける局（ＳＴＡ）に前記スケジュールを提供すること、前記ＳＴＡは、前記ワイヤレスデバイスと異なる、
前記スケジュールに従って、前記１つまたは複数のワイヤレスチャネルのそれぞれのチャネルに同調すること、
前記スケジュールに従って前記それぞれのチャネルに同調されている間、第１のアクセスポイント（ＡＰ）から第１のメッセージを受信すること、前記第１のメッセージは、出発の時間のタイムスタンプを備える、
到着の時間のタイムスタンプで前記第１のメッセージをタイムスタンプすること、および
前記ＳＴＡに前記到着の時間のタイムスタンプを提供すること
を備える、方法。
［Ｃ１４］
前記ワイヤレスデバイスにおいて、
前記第１のＡＰによって前記第１のメッセージの送信をトリガするために、前記スケジュールに従って、前記それぞれのチャネル上でトリガメッセージを送信すること
をさらに備える、Ｃ１３に記載の方法。
［Ｃ１５］
前記トリガメッセージを送信することは、プローブ要求を送信することを備え、および
前記第１のＡＰから前記第１のメッセージを受信することは、前記第１のＡＰからプローブ応答を受信することを備える、Ｃ１４に記載の方法。
［Ｃ１６］
前記ＳＴＡに前記ワイヤレスデバイスのロケーションを提供することをさらに備える、Ｃ１３に記載の方法。
［Ｃ１７］
前記スケジュールを提供することは、前記スケジュールを前記ワイヤレスネットワーク上でブロードキャストすることを備える、Ｃ１３に記載の方法。
［Ｃ１８］
前記スケジュールをブロードキャストすることは、前記スケジュールを含むビーコンフレームをブロードキャストすることを備える、Ｃ１７に記載の方法。
［Ｃ１９］
前記スケジュールを提供することは、前記スケジュールを、前記ＳＴＡにアクセス可能であるサーバにアップロードすることを備える、Ｃ１３に記載の方法。
［Ｃ２０］
前記スケジュールを提供することは、前記ワイヤレスネットワークに関する登録手順を通じて前記ＳＴＡに利用可能であるキーで前記スケジュールを暗号化することを備える、Ｃ１３に記載の方法。
［Ｃ２１］
前記スケジュールを提供することは、前記ワイヤレスデバイスからの前記スケジュールの出発の時間で前記スケジュールをタイムスタンプすることを備える、Ｃ１３に記載の方法。
［Ｃ２２］
前記ＳＴＡに前記到着の時間のタイムスタンプを提供することは、前記ワイヤレスネットワーク上で前記到着の時間のタイムスタンプを含むビーコンをブロードキャストすることを備える、Ｃ１３に記載の方法。
［Ｃ２３］
前記１つまたは複数のワイヤレスチャネルは、複数のチャネルを備え、前記方法は、前記ワイヤレスデバイスにおいて、
前記スケジュールに従って、それぞれの時間において前記複数のチャネルのそれぞれのチャネルに同調すること、
前記スケジュールに従って前記それぞれのチャネルに同調されている間、複数のＡＰから出発の時間のタイムスタンプを備えるメッセージを受信すること、前記メッセージは前記第１のメッセージを含む、
到着の時間のタイムスタンプで前記メッセージをタイムスタンプすること、および
前記ＳＴＡに前記到着の時間のタイムスタンプを提供すること
をさらに備える、Ｃ１３に記載の方法。
［Ｃ２４］
前記ワイヤレスデバイスにおいて、
前記複数のＡＰからの前記出発の時間のタイムスタンプを備える前記メッセージの送信をトリガするために、前記スケジュールに従って、前記それぞれのチャネル上でトリガメッセージを送信することをさらに備える、Ｃ２３に記載の方法。
［Ｃ２５］
前記ワイヤレスネットワークにおいて複数のＡＰを識別すること、および
前記複数のＡＰのサブセットを選択すること、
をさらに備え、
ここにおいて、前記スケジュールの前記１つまたは複数のワイヤレスチャネルは、前記複数のＡＰの前記選択されたサブセットに対応する、Ｃ１３に記載の方法。
［Ｃ２６］
ワイヤレスデバイスであって、
１つまたは複数のアンテナ、
前記１つまたは複数のアンテナを通じてワイヤレスネットワーク上で送信を受信および送信するためのワイヤレスモデム、
１つまたは複数のプロセッサ、および
前記１つまたは複数のプロセッサによる実行のために構成された１つまたは複数のプログラムを記憶するメモリ、前記１つまたは複数のプログラムは、
前記ワイヤレスネットワークにおける基準デバイスから受信されたスケジュールに従って、前記スケジュールにおいて特定された１つまたは複数のワイヤレスチャネルの第１のチャネルに同調するための命令、ここにおいて、前記スケジュールは、前記１つまたは複数のワイヤレスチャネルの各々に関する測定時間を提供する、
前記スケジュールに従って前記第１のチャネルに同調されている間、第１のアクセスポイント（ＡＰ）から第１のメッセージを受信するための命令、前記第１のメッセージは出発の時間のタイムスタンプを備える、
到着の時間のタイムスタンプで前記第１のメッセージをタイムスタンプするための命令、および
前記出発の時間のタイムスタンプ、前記到着の時間のタイムスタンプ、および前記基準デバイスが前記第１のメッセージを受信した時間に部分的に基づいて、前記ワイヤレスデバイスの位置を決定するための命令、前記基準デバイスが前記第１のメッセージを受信した前記時間は、前記ワイヤレスデバイスに提供されている、を備える、
を備える、ワイヤレスデバイス。
［Ｃ２７］
前記スケジュールは、前記基準デバイスからの出発の時間でタイムスタンプされ、および
前記１つまたは複数のプログラムは、前記ワイヤレスデバイスにおけるタイミングを前記基準デバイスにおけるタイミングと同期させるために、前記基準デバイスからの前記出発の時間を使用するための命令をさらに備える、Ｃ２６に記載のワイヤレスデバイス。
［Ｃ２８］
前記ワイヤレスデバイスの位置を決定するための前記命令は、前記第１のＡＰおよび前記基準デバイスのロケーションにさらに部分的に基づいて、前記ワイヤレスデバイスの位置を決定するための命令を備える、Ｃ２６に記載のワイヤレスデバイス。
［Ｃ２９］
ワイヤレスデバイスであって、
１つまたは複数のアンテナ、
前記１つまたは複数のアンテナを通じてワイヤレスネットワーク上で送信を受信および送信するためのワイヤレスモデム、
１つまたは複数のプロセッサ、および
前記１つまたは複数のプロセッサによる実行のために構成された１つまたは複数のプログラムを記憶するメモリ、前記１つまたは複数のプログラムは、
１つまたは複数のワイヤレスチャネルの各々に関する測定時間を特定するスケジュールをコンパイルするための命令、
前記ワイヤレスネットワークにおける局（ＳＴＡ）に前記スケジュールを提供するための命令、前記ＳＴＡは、前記ワイヤレスデバイスと異なる、
前記スケジュールに従って、前記１つまたは複数のワイヤレスチャネルのそれぞれのチャネルに同調するための命令、
到着の時間のタイムスタンプで第１のメッセージをタイムスタンプするための命令、前記スケジュールに従って前記それぞれのチャネルに同調されている間、前記第１のメッセージは、第１のアクセスポイント（ＡＰ）から受信され、および出発の時間のタイムスタンプを備える、および
前記ＳＴＡに前記到着の時間のタイムスタンプを提供するための命令を備える、
を備える、ワイヤレスデバイス。
［Ｃ３０］
前記１つまたは複数のプログラムは、前記第１のＡＰによって前記第１のメッセージの送信をトリガするために、前記スケジュールに従って、前記それぞれのチャネル上でトリガメッセージを送信するための命令をさらに備える、Ｃ２９に記載のワイヤレスデバイス。